【手続補正書】
【提出日】平成24年5月18日(2012.5.18)
【手続補正１】
【補正対象書類名】明細書
【補正対象項目名】００１５
【補正方法】変更
【補正の内容】
【００１５】
上記目的を達成するために、本発明の光学装置は、撮影レンズの合焦状態を検出するための信号を出力する複数の画素を含む撮像素子であって、前記複数の画素が、前記撮影レンズの異なる瞳領域を透過した対の光束をそれぞれ受光して信号を出力する複数の第１の焦点検出用画素対と、前記第１の焦点検出用画素対が受光する対の光束が透過した瞳領域から所定量シフトした瞳領域を透過した対の光束をそれぞれ受光して信号を出力する複数の第２の焦点検出用画素対とを含む撮像素子と、前記第１及び第２の焦点検出用画素対から出力された信号に基づいて、焦点状態を検出する検出手段とを有し、前記検出手段は、撮影する被写体が予め設定された明るさよりも暗い場合に、前記複数の第１の焦点検出用画素対の一方の画素から出力された信号と、前記複数の第２の焦点検出用画素対の一方の画素から出力された信号とを加算して得られた信号と、前記複数の第１の焦点検出用画素対の他方の画素から出力された信号と、前記複数の第２の焦点検出用画素対の他方の画素から出力された信号とを加算して得られた信号とからなる信号対に基づいて焦点状態を検出し、撮影する被写体が前記予め設定された明るさ以上の場合に、前記複数の第１の焦点検出用画素対から出力された信号対と、前記複数の第２の焦点検出用画素対から出力された信号対のそれぞれに基づいて焦点状態を検出する。
【手続補正２】
【補正対象書類名】明細書
【補正対象項目名】００２１
【補正方法】変更
【補正の内容】
【００２１】
１０はイメージセンサ（撮像素子）で、撮影レンズ５の予定結像面に配置されている。２０は、カメラ全体を制御するＣＰＵ、２１はイメージセンサ１０を駆動制御するイメージセンサ制御回路である。また、ＣＰＵ２０は、撮影レンズ５の合焦状態も算出する（検出手段）。また、２４はイメージセンサ１０にて撮像した画像信号を画像処理する画像処理回路、２５は画像処理された画像を表示する液晶表示素子９を駆動する液晶表示素子駆動回路、３は液晶表示素子９に表示された被写体像を観察するための接眼レンズである。２２は、イメージセンサ１０にて撮像された画像を記録するメモリ回路、２３は画像処理回路２４にて画像処理された画像をカメラ外部に出力するためのインターフェース回路である。２２はメモリ回路であり、イメージセンサ１０の受光分布も記憶できるようになっている。
【手続補正３】
【補正対象書類名】明細書
【補正対象項目名】００３１
【補正方法】変更
【補正の内容】
【００３１】
図３において、第１の電極１３１及び第２の電極１３２で区切られた領域が１画素を示しており、各画素中に書かれた「Ｒ」「Ｇ」「Ｂ」の文字は各画素のカラーフィルタの色相を表している。「Ｒ」の文字の書かれた画素は赤の成分の光を透過し、「Ｇ」の文字の書かれた画素は緑の成分の光を透過し、「Ｂ」の文字の書かれた画素は青の成分の光を透過する。また、「Ｒ」「Ｇ」「Ｂ」の文字が書かれた各画素は、撮影レンズ５の全瞳領域を受光するように構成されている。
【手続補正４】
【補正対象書類名】特許請求の範囲
【補正対象項目名】全文
【補正方法】変更
【補正の内容】
【特許請求の範囲】
【請求項１】
撮影レンズの合焦状態を検出するための信号を出力する複数の画素を含む撮像素子であって、前記複数の画素が、
前記撮影レンズの異なる瞳領域を透過した対の光束をそれぞれ受光して信号を出力する複数の第１の焦点検出用画素対と、
前記第１の焦点検出用画素対が受光する対の光束が透過した瞳領域から所定量シフトした瞳領域を透過した対の光束をそれぞれ受光して信号を出力する複数の第２の焦点検出用画素対と
を含む撮像素子と、
前記第１及び第２の焦点検出用画素対から出力された信号に基づいて、焦点状態を検出する検出手段とを有し、
前記検出手段は、
撮影する被写体が予め設定された明るさよりも暗い場合に、前記複数の第１の焦点検出用画素対の一方の画素から出力された信号と、前記複数の第２の焦点検出用画素対の一方の画素から出力された信号とを加算して得られた信号と、前記複数の第１の焦点検出用画素対の他方の画素から出力された信号と、前記複数の第２の焦点検出用画素対の他方の画素から出力された信号とを加算して得られた信号とからなる信号対に基づいて焦点状態を検出し、
撮影する被写体が前記予め設定された明るさ以上の場合に、前記複数の第１の焦点検出用画素対から出力された信号対と、前記複数の第２の焦点検出用画素対から出力された信号対のそれぞれに基づいて焦点状態を検出する
ことを特徴とする光学装置。
【請求項２】
撮影レンズの合焦状態を検出するための信号を出力する複数の画素を含む撮像素子であって、前記複数の画素が、
前記撮影レンズの異なる瞳領域を透過した対の光束をそれぞれ受光して信号を出力する複数の第１の焦点検出用画素対と、
前記第１の焦点検出用画素対が受光する対の光束が透過した瞳領域から所定量シフトした瞳領域を透過した対の光束をそれぞれ受光して信号を出力する複数の第２の焦点検出用画素対と
を含む撮像素子と、
前記第１及び第２の焦点検出用画素対から出力された信号に基づいてそれぞれ焦点状態を検出し、該検出した焦点状態を平均して、第１の焦点状態を検出する第１の検出手段と、
前記複数の第１の焦点検出用画素対の一方の画素から出力された信号と、前記複数の第２の焦点検出用画素対の一方の画素から出力された信号とを加算して得られた信号と、前記複数の第１の焦点検出用画素対の他方の画素から出力された信号と、前記複数の第２の焦点検出用画素対の他方の画素から出力された信号とを加算して得られた信号とからなる信号対に基づいて第２の焦点状態を検出する第２の検出手段と、
被写体のコントラストが予め決められたコントラストよりも低い場合に、前記第２の焦点状態を選択し、被写体のコントラストが前記予め決められたコントラストよりも低くない場合に、前記第１の焦点状態を選択する選択手段と
を有することを特徴とする光学装置。
【請求項３】
前記検出手段は、前記第１及び第２の焦点検出用画素対から出力された信号を加算する際に、前記第１及び第２の焦点検出用画素対それぞれの基線長と、加算後の信号対に対する基線長とが同一になるように、加算する信号を選択することを特徴とする請求項１または２に記載の光学装置。
【請求項４】
前記検出手段は、更に、像高に基づいて、前記撮像素子の各位置における前記第１及び第２の焦点検出用画素対の受光分布を算出して、前記第１及び第２の焦点検出用画素対それぞれについて該受光分布の比を求め、当該比が予め設定された範囲内にある前記第１及び第２の焦点検出用画素対を用いて焦点検出を行うことを特徴とする請求項１乃至３のいずれか１項に記載の光学装置。
【請求項５】
前記撮像素子は、画像の撮影に用いる撮像素子であって、該撮像素子の一部の画素を前記第１及び第２の焦点検出用画素対として構成したことを特徴とする請求項１乃至４のいずれか１項に記載の光学装置。
【請求項６】
撮影レンズの合焦状態を検出するための信号を出力する複数の画素を含む撮像素子であって、前記複数の画素が、前記撮影レンズの異なる瞳領域を透過した対の光束をそれぞれ受光して信号を出力する複数の第１の焦点検出用画素対と、前記第１の焦点検出用画素対が受光する対の光束が透過した瞳領域から所定量シフトした瞳領域を透過した対の光束をそれぞれ受光して信号を出力する複数の第２の焦点検出用画素対とを含む撮像素子を有する光学装置における焦点検出方法であって、
判断手段が、撮影する被写体が予め設定された明るさよりも明るいか暗いかを判断する判断工程と、
検出手段が、前記撮影する被写体が予め設定された明るさよりも暗い場合に、前記複数の第１の焦点検出用画素対の一方の画素から出力された信号と、前記複数の第２の焦点検出用画素対の一方の画素から出力された信号とを加算して得られた信号と、前記複数の第１の焦点検出用画素対の他方の画素から出力された信号と、前記複数の第２の焦点検出用画素対の他方の画素から出力された信号とを加算して得られた信号とからなる信号対に基づいて焦点状態を検出する第１の検出工程と、
前記検出手段が、撮影する被写体が前記予め設定された明るさ以上の場合に、前記複数の第１の焦点検出用画素対から出力された信号対と、前記複数の第２の焦点検出用画素対から出力された信号対のそれぞれに基づいて焦点状態を検出する第２の検出工程と
を備えることを特徴とする焦点検出方法。
【請求項７】
撮影レンズの合焦状態を検出するための信号を出力する複数の画素を含む撮像素子であって、前記複数の画素が、前記撮影レンズの異なる瞳領域を透過した対の光束をそれぞれ受光して信号を出力する複数の第１の焦点検出用画素対と、前記第１の焦点検出用画素対が受光する対の光束が透過した瞳領域から所定量シフトした瞳領域を透過した対の光束をそれぞれ受光して信号を出力する複数の第２の焦点検出用画素対とを含む撮像素子を有する光学装置における焦点検出方法であって、
第１の検出手段が、前記第１及び第２の焦点検出用画素対から出力された信号に基づいてそれぞれ焦点状態を検出し、該検出した焦点状態を平均して、第１の焦点状態を検出する第１の検出工程と、
第２の検出手段が、前記複数の第１の焦点検出用画素対の一方の画素から出力された信号と、前記複数の第２の焦点検出用画素対の一方の画素から出力された信号とを加算して得られた信号と、前記複数の第１の焦点検出用画素対の他方の画素から出力された信号と、前記複数の第２の焦点検出用画素対の他方の画素から出力された信号とを加算して得られた信号とからなる信号対に基づいて第２の焦点状態を検出する第２の検出工程と、
選択手段が、被写体のコントラストが予め決められたコントラストよりも低い場合に、前記第２の焦点状態を選択し、被写体のコントラストが前記予め決められたコントラストよりも低くない場合に、前記第１の焦点状態を選択する選択工程と
を有することを特徴とする焦点検出方法。
【手続補正５】
【補正対象書類名】図面
【補正対象項目名】図５
【補正方法】変更
【補正の内容】
【図５】
2010271419.tif 000001
【手続補正６】
【補正対象書類名】図面
【補正対象項目名】図７
【補正方法】変更
【補正の内容】
【図７】
2010271419.tif 000002